(57)【要約】【課題】ウェブページの画像が表示された一覧画面の中で、変更があったウェブページの変更箇所を視認させることを目的とする。【解決手段】コンピュータによる表示方法であって、該コンピュータが、指定された１以上のウェブページをそれぞれサムネイルで表示する画面において、各サムネイルにつき、所定の時点で記憶していた各ウェブページの情報と比較した結果特定される、ウェブページ中の変更があった箇所を強調して表示させる。【選択図】図２
2015219870.tif 000002
【特許請求の範囲】
【請求項１】
コンピュータによる表示方法であって、該コンピュータが、
指定された１以上のウェブページをそれぞれサムネイルで表示する画面において、各サムネイルにつき、所定の時点で記憶していた各ウェブページの情報と比較した結果特定される、ウェブページ中の変更があった箇所を強調して表示させる、表示方法。
【請求項２】
前記サムネイルに対応して表示される操作領域の操作に応じて、前記サムネイルと対応するウェブページのＨＴＭＬデータを取得し、
前記ウェブページを表示させずに、前記ＨＴＭＬデータを記憶部に記憶させる請求項１記載の表示方法。
【請求項３】
前記ウェブページの情報は、前記ウェブページのＨＴＭＬデータのうちウェブページに表示される表示対象のデータであって、
各サムネイルにつき、
前記サムネイルで表示する画面の表示指示を受けた時点の前記表示対象のデータと、
前記所定の時点で記憶していた各ウェブページの表示対象のデータと、を比較する請求項１又は２記載の表示方法。
【請求項４】
指定された１以上のウェブページをそれぞれサムネイルで表示する画面において、各サムネイルにつき、所定の時点で記憶していた各ウェブページの情報と比較する比較部と、
比較した結果特定される、ウェブページ中の変更があった箇所を強調して表示させる表示部と、を有する表示装置。
【請求項５】
指定された１以上のウェブページをそれぞれサムネイルで表示する画面において、各サムネイルにつき、所定の時点で記憶していた各ウェブページの情報と比較し、
前記比較の結果特定される、ウェブページ中の変更があった箇所を強調して表示させる、
処理をコンピュータに実行させる表示プログラム。
【発明の詳細な説明】
【技術分野】
【０００１】
本発明は、ウェブページの表示方法、表示装置及び表示プログラムに関する。
【背景技術】
【０００２】
近年では、インターネット上の各種のウェブページに掲載されたデータを取得し、利用者専用のウェブページ（以下、マイページ）に取得したデータを貼り付けることで、複数のウェブページに掲載されたデータを１つの画面に統合する技術が知られている。
【０００３】
また、従来では、ウェブページのデータの更新に関し、更新された部分のみを表示する技術が知られており、マイページでも、取得したデータが更新された際に、利用者にウェブページのデータが更新されたことを通知する仕組みを備えている。
【先行技術文献】
【特許文献】
【０００４】
【特許文献１】特開２００３−９９３１２号公報
【発明の概要】
【発明が解決しようとする課題】
【０００５】
マイページに含まれるウェブページのデータに更新があった際に、更新された部分のみを表示させた場合、マイページにおけるどのウェブページが更新されたのか、一目で視認することが困難である。
【０００６】
１つの側面では、本発明は、ウェブページの画像が表示された一覧画面の中で、変更があったウェブページの変更箇所を視認させることを目的とする。
【課題を解決するための手段】
【０００７】
一様態によれば、コンピュータによる表示方法であって、該コンピュータが、指定された１以上のウェブページをそれぞれサムネイルで表示する画面において、各サムネイルにつき、所定の時点で記憶していた各ウェブページの情報と比較した結果特定される、ウェブページ中の変更があった箇所を強調して表示させる。
【０００８】
上記手順は、上記処理を実現する機能部、上記各処理を手順としてコンピュータにより実行させるステップ、プログラムを記憶したコンピュータ読み取り可能な記憶媒体とすることもできる。
【発明の効果】
【０００９】
ウェブページの画像が表示された一覧画面の中で、変更があったウェブページの変更箇所を視認させる。
【図面の簡単な説明】
【００１０】
【図１】表示システムの一例を示す図である。
【図２】個別サービスの一覧画面の例を示す第一の図である。
【図３】お気に入り設定データベースの一例を示す図である。
【図４】端末装置のハードウェア構成の一例を示す図である。
【図５】端末装置の機能構成を説明する図である。
【図６】端末装置の動作を説明する第一のフローチャートを示す図である。
【図７】端末装置の動作を説明する第二のフローチャートを示す図である。
【図８】端末装置の動作を説明する第三のフローチャートを示す図である。
【図９】端末装置の動作を説明する第四のフローチャートを示す図である。
【図１０】端末装置の動作を説明する第五のフローチャートを示す図である。
【図１１】端末装置の動作を説明する第六のフローチャートを示す図である。
【図１２】個別サービスの一覧画面の例を示す第二の図である。
【図１３】個別サービスが選択された際の画面の例を示す図である。
【図１４】個別サービスの一覧画面の例を示す第三の図である。
【図１５】個別サービスの一覧画面の例を示す第四の図である。
【図１６】個別サービスの一覧画面の例を示す第五の図である。
【発明を実施するための形態】
【００１１】
以下に図面を参照して実施形態について説明する。図１は、表示システムの一例を示す図である。
【００１２】
本実施形態の表示システム１００は、端末装置２００と、ウェブサーバ３００、４００、５００とを有する。本実施形態の端末装置２００と、ウェブサーバ３００、４００、５００とは、ネットワークを介して接続されている。
【００１３】
本実施形態のウェブサーバ３００、４００、５００は、例えば利用者に対してウェブサービスを提供するサービス提供者に管理されるサーバであり、それぞれが個別のサービスを提供する。尚、端末装置２００と接続されるウェブサーバの数は、図１に示す３つに限定されない。端末装置２００に接続されるウェブサーバの数は、任意であって良い。
【００１４】
本実施形態の端末装置２００は、ウェブサーバ３００、４００、５００により出力される画面のページデータ（画面データ）の一部を１つの画面のページデータに統合（アグリケーション）して、利用者専用の画面を表示させるページデータを生成し、表示させる。尚、統合される個別サービスは、利用者に指定された個別サービスである。
【００１５】
以下の本実施形態の説明では、端末装置２００により生成される利用者専用の画面をサービス統合画面と呼び、サービス統合画面を表示させるページデータを統合ページデータと呼ぶ。また、以下の本実施形態の説明では、各ウェブサーバから提供される個別のサービスの画面を個別サービス画面と呼び、個別サービス画面を表示させるページデータを個別ページデータと呼ぶ。本実施形態のページデータは、例えばＨＴＭＬ（HyperText Markup Language）で記述されたＨＴＭＬデータである。
【００１６】
本実施形態のサービス統合画面は、統合された個別サービスの一覧画面も含む。本実施形態の端末装置２００は、統合された個別サービスの一覧画面として、各個別サービス毎に個別サービス画面のサムネイル画像を生成し、サムネイル画像の一覧を表示させる。
【００１７】
また、本実施形態の端末装置２００では、個別サービスと対応する個別ページデータが更新された場合、個別サービスの一覧画面において、更新された個別サービスと対応するサムネイル画像上に更新されたデータを強調表示させる。強調表示の一例として、更新されたデータを拡大して表示する態様が挙げられる。
【００１８】
すなわち、本実施形態では、個別ページデータに変更があった場合に、個別サービスの一覧画面において、変更があった個別サービスと対応する個別サービス画面のサムネイル画像上に、変更された情報が強調表示される。したがって、本実施形態では、統合された個別サービスの一覧画面において、個別サービス画面が縮小されたサムネイル画像で示されていても、閲覧者に変更があった個別サービス画面を容易に特定させることができる。また、本実施形態では、変更があった個別サービスの内容を一覧画面の閲覧者に視認させることができる。
【００１９】
本実施形態の端末装置２００は、タブレット端末であっても良いし、デスクトップ型のコンピュータやノート型のコンピュータであっても良い。
【００２０】
本実施形態の端末装置２００は、表示プログラム２１０がインストールされており、ブラウザ２２０と、お気に入り設定データベース２３０と、を有する。
【００２１】
本実施形態の端末装置２００は、表示プログラム２１０を実行し、お気に入り設定データベース２３０を参照し、ブラウザ２２０を介して個別サービスの一覧画面を含むサービス統合画面を表示させる。
【００２２】
尚、以下の説明では、個別サービスの一覧画面を単に一覧画面と呼ぶ。
【００２３】
図２は、個別サービスの一覧画面の一例を示す図である。図２では、端末装置２００において、ブラウザ２２０を介して表示された一覧画面１１を示している。
【００２４】
一覧画面１１には、個別サービス画面のサムネイル画像１２、１３、１４が表示されている。また、本実施形態の一覧画面１１では、各サムネイル画像に対応した操作ボタン１５、１６、１７が表示されている。
【００２５】
一覧画面１１において、操作ボタン１５、１６、１７は、個別ページデータに更新があった際に、更新された個別サービス画面へ遷移させずに、更新の確認済みを指示するための操作ボタンである。すなわち、一覧画面１１における操作ボタン１５、１６、１７は、更新された個別サービス画面へ遷移させずに、対応する個別ページデータを最新のものに置き換える操作を指示するボタンである。以下の説明では、操作ボタン１５、１６、１７を「見たことにする」ボタンと呼ぶ。
【００２６】
一覧画面１１では、サムネイル画像１２上に文字１８が表示されている。本実施形態における文字１８は、サムネイル画像１２と対応する個別サービスの個別ページデータにおいて、更新されたデータである。文字１８は、少なくともサムネイル画像１２に含まれる文字の最大フォントよりも大きいフォント数に拡大されて表示される。この場合は、前回閲覧したときの野球速報のデータから１という情報が追加（更新）されたことを意味する。具体的には、いずれかのチームが前回閲覧時以降に１点を入れたことを対象ページに追加されたこととなる。
【００２７】
本実施形態では、このように更新されたデータを拡大してサムネイル画像１２上に表示させることで、一覧画面１１の閲覧者に対し、一覧画面１１を表示させたままの状態で更新のあった個別サービスを特定させ、更新の内容を視認させることができる。
【００２８】
また、本実施形態では、一覧画面１１において「見たことにする」ボタン１５が操作されると、サムネイル画像１２は、更新後の個別ページデータにより表示される個別サービス画面のサムネイル画像に切り替わる。よって本実施形態では、例えば個別サービスが更新される度に、一覧画面１１から更新内容を確認させる画面へ遷移させて、個別ページデータを現在のものに置き換えることで、煩雑な処理を低減させることができる。
【００２９】
以下に、本実施形態の端末装置２００について、詳細を説明する。
【００３０】
図３は、お気に入り設定データベースの一例を示す図である。本実施形態のお気に入り設定データベース２３０は、端末装置２００において、個別サービス毎の個別ページデータに関する情報が格納されている。
【００３１】
本実施形態のお気に入り設定データベース２３０は、情報の項目として、名称、ＵＲＬ（Uniform Resource Locator）、最新閲覧日時、最新閲覧時ＨＴＭＬデータを有し、名称に対してその他の項目が対応付けられている。
【００３２】
本実施形態の名称は、個別サービス画面の名称を示す。ＵＲＬは、個別サービス画面を表示させる個別ページデータの格納場所を示す。最新閲覧日時は、端末装置２００において個別サービス画面が閲覧された最新の日時を示す。
【００３３】
最新閲覧時ＨＴＭＬデータは、最新閲覧日時において端末装置２００に表示された個別サービス画面と対応する個別ページデータである。すなわち、最新閲覧時ＨＴＭＬデータは、端末装置２００において最後に表示された個別サービス画面と対応する個別ページデータである。
【００３４】
本実施形態では、お気に入り設定データベース２３０において、項目「名称」の値と、項目「名称」の値に対応付けられた各項目の値とを、個別サービス情報と呼ぶ。
【００３５】
図３の例では、例えば野球速報ページが最後に閲覧されたのは、２０１４／１／２５の９：００：０１であり、このときに閲覧された野球速報ページ（ｈｔｔｐ：／／ｘｘｘ．ｙｙｙ．ｚｚｚ．ｊｐ／ｙａｋｙｕｕ／）と対応するページデータが最新閲覧時ＨＴＭＬデータに格納されていることがわかる。
【００３６】
以下に、図４、図５を参照して本実施形態の端末装置２００について説明する。図４は、端末装置のハードウェア構成の一例を示す図である。
【００３７】
本実施形態の端末装置２００は、それぞれバスＢで相互に接続されている入力装置２１、出力装置２２、ドライブ装置２３、補助記憶装置２４、メモリ装置２５、演算処理装置２６及びインターフェース装置２７を含む。
【００３８】
入力装置２１はキーボードやマウス等を含み、各種信号を入力するために用いられる。出力装置２２はディスプレイ装置等を含み、各種ウインドウやデータ等を表示するために用いられる。インターフェース装置２７は、モデム、ＬＡＮカード等を含み、ネットワークに接続する為に用いられる。
【００３９】
表示プログラム２１０は、端末装置２００を制御する各種プログラムの少なくとも一部である。表示プログラム２１０は例えば記録媒体２８の配布やネットワークからのダウンロードなどによって提供される。表示プログラム２１０を記録した記録媒体２８は、ＣＤ−ＲＯＭ、フレキシブルディスク、光磁気ディスク等の様に情報を光学的、電気的或いは磁気的に記録する記録媒体、ＲＯＭ、フラッシュメモリ等の様に情報を電気的に記録する半導体メモリ等、様々なタイプの記録媒体を用いることができる。
【００４０】
また、表示プログラム２１０は、表示プログラム２１０を記録した記録媒体２８がドライブ装置２３にセットされるとは記録媒体２８からドライブ装置２３を介して補助記憶装置２４にインストールされる。ネットワークからダウンロードされた表示プログラム２１０は、インターフェース装置２７を介して補助記憶装置２４にインストールされる。
【００４１】
補助記憶装置２４は、インストールされた表示プログラム２１０を格納すると共に、必要なファイル、データ等を格納する。メモリ装置２５は、コンピュータの起動時に補助記憶装置２４から表示プログラム２１０を読み出して格納する。そして、演算処理装置２６はメモリ装置２５に格納された表示プログラムに従って、後述するような各種処理を実現している。
【００４２】
尚、本実施形態の端末装置２００がタブレット型のコンピュータ等である場合には、入力装置２１及び出力装置２２を兼ねた表示操作装置を有しても良い。表示操作装置は、表示機能を有するタッチパネル等により実現される。
【００４３】
図５は、端末装置の機能構成を説明する図である。以下に説明する各部は、端末装置２００が表示プログラム２１０を実行することで実現される。
【００４４】
本実施形態の端末装置２００は、入力受付部２１１、データベース登録部２１２、一覧画面表示部２１３、個別サービス画面表示部２１４、データベース更新部２１５を有する。
【００４５】
本実施形態の入力受付部２１１は、端末装置２００に対する入力を受け付ける。データベース登録部２１２は、端末装置２００において、個別サービス情報をお気に入り設定データベース２３０に格納する。
【００４６】
一覧画面表示部２１３は、個別サービス画面のサムネイル画像を含む個別サービスの一覧画面を端末装置２００に表示させる。一覧画面表示部２１３の詳細は後述する。
【００４７】
個別サービス画面表示部２１４は、一覧画面において選択された個別サービス画面を表示させる。データベース更新部２１５は、お気に入り設定データベース２３０を更新する。
【００４８】
本実施形態の一覧画面表示部２１３は、ＨＴＭＬデータ取得部２１６、サムネイル画像生成部２１７、差分判定部２１８、一覧画面データ生成部２１９を有する。
【００４９】
ＨＴＭＬデータ取得部２１６は、お気に入り設定データベース２３０に格納された個別サービス画面の名称と対応するＨＴＭＬデータを取得する。サムネイル画像生成部２１７は、個別サービス画面のサムネイル画像を生成する。
【００５０】
差分判定部２１８は、一覧画面を表示する時点での個別サービス画面の個別ページデータと、お気に入り設定データベース２３０に格納された最新閲覧時ＨＴＭＬデータとを比較し、差分が所定量以上あるか否かを判定する。すなわち、本実施形態の差分判定部２１８は、一覧画面を表示する時点での個別サービス画面の個別ページデータと、お気に入り設定データベース２３０に格納された最新閲覧時ＨＴＭＬデータとを比較する比較部の役割を果たす。本実施形態の差分判定部２１８の処理の詳細は後述する。
【００５１】
一覧画面データ生成部２１９は、サムネイル画像と、差分判定部２１８による差分の判定結果とを用いて、一覧画面を表示させる一覧画面データを生成する。
【００５２】
次に、本実施形態の端末装置２００の動作を説明する。図６は、端末装置の動作を説明する第一のフローチャートを示す図である。図６では、端末装置２００が表示プログラム２１０を実行した際の動作を示している。
【００５３】
本実施形態の端末装置２００は、入力受付部２１１により、ブラウザ２２０に表示された個別サービス画面のＵＲＬを、お気に入り設定データベース２３０に登録する指示を受け付けたか否かを判定する（ステップＳ６０１）。ステップＳ６０１において、登録する指示を受け付けた場合、端末装置２００は、データベース登録部２１２により、端末装置２００において表示された個別サービス画面に係る個別サービス情報をお気に入り設定データベース２３０へ登録し（ステップＳ６０２）、ステップＳ６０３へ進む。尚、ステップＳ６０２に処理の詳細は後述する。
【００５４】
ステップＳ６０１において、登録する指示を受け付けていない場合、端末装置２００は、入力受付部２１１により、一覧画面の表示の指示を受け付けたか否かを判定する（ステップＳ６０３）。ステップＳ６０３において、表示の指示を受け付けた場合、一覧画面表示部２１３は、一覧画面の表示と更新の確認の処理を行う（ステップＳ６０４）。この表示の指示には、一覧画面の再表示（更新）も含まれる。尚、ステップＳ６０４の処理の詳細は後述する。
【００５５】
続いて端末装置２００は、入力受付部２１１により、ブラウザ２２０の終了指示を受け付けたか否かを判定する（ステップＳ６０５）。ステップＳ６０５において終了指示を受け付けない場合、端末装置２００は、ステップＳ６０１へ戻る。ステップＳ６０５において終了指示を受け付けた場合、端末装置２００は、ブラウザ２２０を閉じて表示を終了する。
【００５６】
本実施形態では、以上の処理により、ブラウザ２２０が閉じられるまで、個別サービス画面の更新が一覧画面のサムネイル画像に反映される。
【００５７】
次に、図７を参照し、ステップＳ６０２の処理の詳細について説明する。図７は、端末装置の動作を説明する第二のフローチャートを示す図である。図７では、個別サービス情報をお気に入り設定データベース２３０へ登録する処理を示している。
【００５８】
本実施形態のデータベース登録部２１２は、ステップＳ６０１において、登録の指示を受け付けると、個別サービス画面を表示させている個別ページデータから、表示中の個別サービス画面のタイトルを取得する。そして、データベース登録部２１２は、取得したタイトルをお気に入り設定データベース２３０の項目「名称」の値とする（ステップＳ７０１）。続いてデータベース登録部２１２は、表示中の個別サービス画面のＵＲＬを取得し、お気に入り設定データベース２３０の項目「ＵＲＬ」の値とする（ステップＳ７０２）。
【００５９】
続いてデータベース登録部２１２は、現在の日時を示す情報を取得し、お気に入り設定データベース２３０の項目「最新閲覧日時」の値とする（ステップＳ７０３）。続いてデータベース登録部２１２は、表示中の個別サービス画面の個別ページデータを取得し、お気に入り設定データベース２３０の項目「最新閲覧時ＨＴＭＬデータ」の値とし（ステップＳ７０４）、ステップＳ７０５へ進む。
【００６０】
続いてデータベース登録部２１２は、項目「名称」の値に、項目「ＵＲＬ」、「最新閲覧日時」、「最新閲覧時ＨＴＭＬデータ」の値を対応付けた個別サービス情報を、お気に入り設定データベース２３０へ登録する（ステップＳ７０５）。
【００６１】
次に、図８乃至図１１を参照してステップＳ６０４の処理の詳細に説明する。図８は、端末装置の動作を説明する第三のフローチャートを示す図である。
【００６２】
本実施形態の端末装置２００は、ステップＳ６０３において一覧画面の表示指示を受けると、一覧画面表示部２１３による一覧画面の表示を行う（ステップＳ８０１）。続いて端末装置２００は、更新の確認の処理を行う（ステップＳ８０２）。ステップＳ８０１及びステップＳ８０２の詳細は後述する。
【００６３】
続いて端末装置２００は、所定時間が経過するまで待機し（ステップＳ８０３）、ステップＳ８０３において所定時間が経過するとステップＳ６０５へ進む。
【００６４】
図９は、端末装置の動作を説明する第四のフローチャートを示す図である。図９は、図８のステップＳ８０１で示した一覧画面の表示の処理を示している。
【００６５】
本実施形態の端末装置２００において、一覧画面表示部２１３は、変数Ｌを設定し、変数Ｌに対して１を代入する（ステップＳ９０１）。続いて一覧画面表示部２１３は、ＨＴＭＬデータ取得部２１６により、お気に入り設定データベース２３０からＬ番目の個別サービス情報を読み取り、ＵＲＬの値と最新閲覧時ＨＴＭＬデータの値とを抽出する（ステップＳ９０２）。
【００６６】
続いて一覧画面表示部２１３は、ステップＳ９０２で抽出したＵＲＬと対応したサムネイル画像を生成し、サムネイル画像と「見たことにする」ボタンとを組み合わせ、一覧画面の画面データに追加する（ステップＳ９０３）。
【００６７】
以下にステップＳ９０３の処理について説明する。
【００６８】
一覧画面表示部２１３は、ＨＴＭＬデータ取得部２１６により、ステップＳ９０２で抽出したＵＲＬと対応するＨＴＭＬデータを取得する。ここで取得するＨＴＭＬデータは、一覧画面の表示指示を受けた時点における個別サービス画面を表示させる個別ページデータ（以下、現在の個別ページデータと呼ぶ。）である。そして、一覧画面表示部２１３は、サムネイル画像生成部２１７により、現在の個別ページデータにより表示される個別サービス画面のサムネイル画像を生成し、ステップＳ９０２で抽出したＵＲＬをサムネイル画像のリンク先として付与する。さらに一覧画面表示部２１３は、一覧画面データ生成部２１９により、サムネイル画像と「見たことにする」ボタンとを一覧表示用の画面データに追加する。
【００６９】
次に一覧画面表示部２１３は、差分判定部２１８により、ステップＳ９０３において取得した現在の個別ページデータと、ステップＳ９０２で抽出した最新閲覧時ＨＴＭＬデータとを比較する（ステップＳ９０４）。
【００７０】
続いて差分判定部２１８は、最新閲覧時ＨＴＭＬデータに対して現在の個別ページデータが更新されており、且つ更新量が所定量以上であるか否かを判定する（ステップＳ９０５）。ステップＳ９０５における更新量と所定量の詳細は後述する。
【００７１】
ステップＳ９０５において、更新量が所定量以上であった場合、一覧画面表示部２１３は、一覧画面データ生成部２１９により、ステップＳ９０３で生成されたサムネイル画像上に、個別サービス画面の閲覧又は「見たことにする」ボタンの押下を促すメッセージを重畳させ（ステップＳ９０６）、後述するステップＳ９１０へ進む。
【００７２】
ステップＳ９０５において、更新量が所定量以上でなかった場合、差分判定部２１８は、更新量が所定量未満であるか否かを判定する（ステップＳ９０７）。ステップＳ９０７において、更新があり、且つ更新量が所定量未満でない場合、すなわち更新がない場合、一覧画面表示部２１３は、後述するステップＳ９１０へ進む。
【００７３】
ステップＳ９０７において、更新があり、且つ更新量が所定量未満である場合、一覧画面データ生成部２１９は、更新された文字列を取得する（ステップＳ９０８）。続いて一覧画面データ生成部２１９は、Ｌ番目の個別サービス情報から取得したＵＲＬと対応するサムネイル画像上に、更新された文字列を重畳させる（ステップＳ９０９）。
【００７４】
続いて、一覧画面表示部２１３は、変数ＬにＬ＋１を代入し（ステップＳ９１０）、お気に入り設定データベース２３０に、ステップＳ９１０で更新後のＬ番目の個別サービス情報が存在するか否かを判定する（ステップＳ９１１）。ステップＳ９１１において該当する個別サービス情報が存在する場合、一覧画面表示部２１３は、ステップＳ９０２へ戻る。
【００７５】
ステップＳ９１１において該当する個別サービス情報が存在しない場合、一覧画面表示部２１３は、一覧表示用データに基づき、一覧画面を表示させ（ステップＳ９１２）、処理を終了する。すなわち、本実施形態の一覧画面表示部２１３は、個別サービス画面において変更のあった箇所を強調して表示させる表示部の役割を果たす。
【００７６】
ここで、本実施形態の差分判定部２１８の処理について説明する。
【００７７】
本実施形態の差分判定部２１８は、ステップＳ９０４の比較において、現在の個別ページデータの記述に含まれる表示対象のテキストデータと、最新閲覧時ＨＴＭＬデータと記述に含まれる表示対象のテキストデータとを比較しても良い。具体的には、例えばそれぞれのデータにおいて、ＨＴＭＬタグ＜ｂｏｄｙ＞と＜／ｂｏｄｙ＞の間や、＜ｔｄ＞と＜／ｔｄ＞、＜ｔｉｔｌｅ＞と＜／ｔｉｔｌｅ＞の間等に記述されたテキストデータを比較しても良い。
【００７８】
本実施形態の差分判定部２１８は、テキストデータの比較を行い、両者の間で異なる文字数が所定数以上あった場合に、ステップＳ９０５において更新があり、且つ更新量が所定量であると判定しても良い。
【００７９】
すなわち、この場合の更新量とは、現在の個別ページデータにおける表示対象のテキストデータと、最新閲覧時ＨＴＭＬデータにおける表示対象のテキストデータとの間で変更された文字数であり、所定量は、閾値として設定された文字数である。
【００８０】
本実施形態では、現在の個別ページデータと最新閲覧時ＨＴＭＬデータのそれぞれの表示対象のテキストデータにおいて、変更された文字を更新されたデータとし、変更された文字数を更新量とし、更新量が所定量以上であるか否かを判定している。
【００８１】
本実施形態において、更新量が所定量以上である場合、すなわち変更された文字数が所定数以上である場合、サムネイル画像上に更新内容を拡大して重畳表示することができない。よって、本実施形態では、この場合には、サムネイル画像上に更新の確認を促すメッセージを重畳表示させる。更新の確認とは、サムネイル画像と対応する個別サービス画面へ遷移するか、又は「見たことにする」ボタンを操作することである。言い換えれば、更新の確認とは、最新閲覧時ＨＴＭＬデータを現在の個別ページデータに置き換えることである。
【００８２】
また、本実施形態では、更新量が所定量未満である場合、すなわち変更された文字数が所定数よりも少ない場合、変更後の文字をサムネイル画像上に拡大して重畳表示させる。本実施形態では、サムネイル画像上に変更後の文字を表示させることで、変更（更新）内容を一覧画面の閲覧者に視認させることができる。
【００８３】
尚、本実施形態の所定量は、予め設定された文字数であっても良い。
【００８４】
また、本実施形態の所定量は、例えばＬ番目の個別サービス情報から抽出されたＵＲＬと対応するサムネイル画像の大きさと、サムネイル画像における文字のフォントに基づき算出されても良い。
【００８５】
本実施形態では、サムネイル画像上に更新内容を重畳表示させる際に、更新内容を表示する際の文字の大きさを示すフォント（以下、更新文字フォント）の値は、少なくともサムネイル画像に含まれる文字の最大フォントの値より大きくする。
【００８６】
そこで、本実施形態では、サムネイル画像の大きさ（面積）と、更新文字フォントとに基づき、サムネイル画像上に更新文字フォントで表示させることが可能な文字数を所定量としても良い。
【００８７】
具体的には、例えばサムネイル画像の高さＨ、横幅Ｗであった場合、一覧画面におけるサムネイル画像の面積は、Ｈ×Ｗとなる。このとき、本実施形態の所定量は、このＨ×Ｗの中に更新文字フォントで表示させることができる文字数となる。
【００８８】
尚、本実施形態において、更新文字フォントの値は、例えばサムネイル画像に含まれる画像上の最大フォントサイズの値の２倍程度であることが好ましい。
【００８９】
また、本実施形態の差分判定部２１８は、現在の個別ページデータと最新閲覧時ＨＴＭＬデータのそれぞれに画像が含まれる場合、ブラウザ２２０で表示される画像のファイル名を比較しても良い。本実施形態の差分判定部２１８は、両者において、変更されたファイル名が存在した場合に、最新閲覧時ＨＴＭＬデータが更新されたと判定する。このとき一覧画面表示部２１３は、サムネイル画像上に更新された画像（以下、更新画像）を重畳表示させても良い。
【００９０】
また、この場合の更新量は、現在の個別ページデータと最新閲覧時ＨＴＭＬデータにおいて、変更されたファイル名の数である。また、この場合の所定量は、閾値として設定されたファイル名の数である。
【００９１】
閾値として設定されるファイル名の数は、例えばサムネイル画像の大きさと、サムネイル画像上に重畳させる更新画像の大きさとに基づき設定されても良い。具体的には、例えば、更新画像の大きさを、サムネイル画像上に３つ並べて表示できる大きさとした場合には、閾値として設定されるファイル名の数は３となる。
【００９２】
さらに、本実施形態では、現在の個別ページデータと最新閲覧時ＨＴＭＬデータのそれぞれに含まれる画像のファイル名が同じまま、画像のみが更新される場合を想定し、更新量を、両者に含まれる画像において画素値が異なる領域の面積としても良い。この場合、所定量は、予め閾値として設定された面積の値となる。
【００９３】
具体的には、差分判定部２１８は、現在の個別ページデータと最新閲覧時ＨＴＭＬデータのそれぞれに含まれる画像を画素毎に比較し、画素値が異なる矩形領域の面積が、予め設定された閾値以上であった場合に、更新量が所定量以上であると判定しても良い。
【００９４】
図１０は、端末装置の動作を説明する第五のフローチャートを示す図である。図１０は、図８のステップＳ８０２で示した更新の確認の処理を示している。更新の確認の処理とは、すなわち最新閲覧時ＨＴＭＬデータを現在の個別ページデータに置き換える処理である。
【００９５】
本実施形態の端末装置２００は、入力受付部２１１により、一覧画面においてサムネイル画像の選択を受け付けたか否かを判定する（ステップＳ１００１）。
【００９６】
ステップＳ１００１において、サムネイル画像の選択を受け付けた場合、個別サービス画面表示部２１４は、サムネイル画像にリンクとして付与されたＵＲＬを取得し、取得したＵＲＬに格納された個別ページデータに対応する個別サービス画面を表示させる（ステップＳ１００２）。続いて端末装置２００は、データベース更新部２１５により、表示した個別サービス画面の個別ページデータを、お気に入り設定データベース２３０の更新用のデータにする（ステップＳ１００３）。そして、データベース更新部２１５は、お気に入り設定データベース２３０を更新し（ステップＳ１００４）、後述するステップＳ１００５へ進む。データベース更新部２１５によるステップＳ１００４の処理の詳細は後述する。
【００９７】
ステップＳ１００１において、サムネイル画像の選択を受け付けなかった場合、入力受付部２１１は、一覧画面に表示された「見たことにする」ボタンに対する操作（押下）を受け付けたか否かを判定する（ステップＳ１００５）。
【００９８】
ステップＳ１００５において、操作を受け付けなかった場合、端末装置２００は処理を終了する。
【００９９】
ステップＳ１００５において、操作を受け付けた場合、データベース更新部２１５は、操作された「見たことにする」ボタンと対応するサムネイル画像を生成した際のＨＴＭＬデータをお気に入り設定データベース２３０の更新用のデータとする（ステップＳ１００６）。尚、ステップＳ１００６におけるサムネイル画像を生成した際のＨＴＭＬデータとは、現在の個別サービス画面を表示させるための個別ページデータである。
【０１００】
続いてデータ更新部２１５は、お気に入り設定データベース２３０を更新し（ステップＳ１００７）、処理を終了する。データベース更新部２１５によるステップＳ１００７の処理の詳細は後述する。
【０１０１】
図１１は、端末装置の動作を説明する第六のフローチャートを示す図である。図１１は、図１０のステップＳ１００４、１００７におけるデータベース更新部２１５の処理を示している。
【０１０２】
本実施形態の端末装置２００において、データベース更新部２１５は、個別サービス画面の個別ページデータから、お気に入り設定データベース２３０の更新用のデータとして、個別サービス画面のタイトルを取得し、お気に入り設定データベース２３０における名称とする（ステップＳ１１０１）。尚、ステップＳ１１０１における個別サービス画面とは、ステップＳ１００１で選択されたサムネイル画像又はステップＳ１００５で操作された「見たことにする」ボタンと対応する個別サービス画面である。
【０１０３】
続いてデータベース更新部２１５は、個別ページデータから現在の日時を示す情報を取得し、最新閲覧日時とする（ステップＳ１１０２）。続いてデータベース更新部２１５は、図１０のステップＳ１００３又はステップＳ１００６における更新用のデータとした個別ページデータを最新閲覧時ＨＴＭＬデータとする（ステップＳ１１０３）。
【０１０４】
続いてデータベース更新部２１５は、サムネイル画像にリンクとして付与されたＵＲＬにより、お気に入り設定データベース２３０を検索し、ＵＲＬが一致する個別サービス情報の最新閲覧日時と、最新閲覧時ＨＴＭＬデータとを上書きし（ステップＳ１１０４）、処理を終了する。
【０１０５】
以上の処理から、本実施形態の端末装置２００では、利用者が指定した個別サービスの一覧が表示された一覧画面において、更新があった個別サービス画面と対応するサムネイル画像に更新されたデータを表示させる。したがって、本実施形態によれば、指定された複数のウェブページの一覧画面において、変更があったウェブページの変更の内容を目視させることができる。
【０１０６】
また、本実施形態では、更新の確認の処理において、「見たことにする」ボタンを操作することで、ページを実際に閲覧することなく、最新閲覧時ＨＴＭＬデータを現在の個別ページデータに書き換えることができる。したがって、本実施形態では、「見たことにする」ボタンを操作することにより、指定された個別サービス画面に遷移せずに個別ページデータを最新のものに更新でき、更新の通知を受ける度に個別サービス画面を開いて更新の確認を行う、といった煩雑な操作を省くことができる。
【０１０７】
以下に、図１２乃至図１６を参照し、本実施形態の端末装置２００の処理を具体的に説明する。図１２は、個別サービスの一覧画面の例を示す第二の図である。
【０１０８】
図１２に示す一覧画面１２１は、例えば端末装置２００のブラウザ２２０が起動された際に、端末装置２００に表示される画面とした。
【０１０９】
図１２に示す一覧画面１２１に示すサムネイル画像１２、１３、１４は、図３に示すお気に入り設定データベース２３０に登録された３つの個別サービス画面のサムネイル画像である。具体的には、サムネイル画像１２に対応する個別サービス画面は、野球速報ページである。サムネイル画像１３に対応する個別サービス画面は、△△銀行残高ページである。サムネイル画像１４に対応する個別サービス画面は、□□年金情報ページである。
【０１１０】
図１２の例では、ブラウザ２２０が起動されたときの野球速報ページの個別ページデータと、お気に入り設定データベース２３０に格納された野球速報ページと対応する最新閲覧ＨＴＭＬデータとを比較した結果、更新があり、且つ変更箇所の文字数が所定量未満であった。
【０１１１】
よって、一覧画面１２１では、サムネイル画像１２上に、野球速報ページにおいて更新（変更）された文字１８が拡大され、サムネイル画像１２上に重畳されている。図１２の例では、文字１８は「１」である。よって、一覧画面１２１は、一覧画面１２１の閲覧者に、野球速報ページにおいて、更新（変更）された内容が「１」であることを視認させることができる。
【０１１２】
これに対し、△△銀行残高ページは、ブラウザ２２０が起動されたときの個別ページデータと、お気に入り設定データベース２３０に格納された△△銀行残高ページと対応する最新閲覧ＨＴＭＬデータとを比較して特定された更新（変更）箇所の文字数が所定量以上であった。
【０１１３】
よって、一覧画面１２１では、サムネイル画像１３上に、更新された文字の代わりに、更新の確認を促すメッセージ１９が重畳されている。よって、一覧画面１２１は、一覧画面１２１の閲覧者に、△△銀行残高ページにおいて、大幅な更新（変更）があったことを視認させることができる。
【０１１４】
さらに、□□年金情報ページは、ブラウザ２２０が起動されたときのページデータと、お気に入り設定データベース２３０に格納された□□年金情報ページと対応する最新閲覧ＨＴＭＬデータとを比較した結果、更新（変更）箇所がなかった。
【０１１５】
よって、一覧画面１２１では、サムネイル画像１４上には何も表示されていない。よって、一覧画面１２１は、一覧画面１２１の閲覧者に、□□年金情報ページには更新（変更）がなかったことを視認させることができる。
【０１１６】
このように、本実施形態では、個別サービスの一覧画面において、各個別サービス画面における更新の有無、更新された情報量の程度、更新された情報の内容を一目で閲覧者に視認させることができる。
【０１１７】
図１３は、個別サービスが選択された際の画面の例を示す図である。図１３は、一覧画面１２１において、サムネイル画像１３が選択された場合の例を示している。
【０１１８】
本実施形態の端末装置２００は、一覧画面１２１からサムネイル画像１３が選択されると、サムネイル画像１３にリンクとして付与されているＵＲＬにアクセスし、サムネイル画像１３と対応する現在の個別サービス画面１３１を表示させる。
【０１１９】
より具体的には、端末装置２００は、お気に入り設定データベース２３０に格納された、△△銀行残高ページと対応するＵＲＬを取得し、現在の△△銀行残高ページを表示させる。
【０１２０】
本実施形態の端末装置２００は、この操作により、お気に入り設定データベース２３０における△△銀行残高ページと対応する最新閲覧時ＨＴＭＬデータが、個別サービス画面１３１を表示させた個別ページデータに置き換えられる。
【０１２１】
また、本実施形態の端末装置２００は、操作ボタン１３２が操作（押下）されると、画面の表示を個別サービス画面１３１から一覧画面１２１に戻す。
【０１２２】
図１４は、個別サービスの一覧画面の例を示す第三の図である。図１４（Ａ）は、一覧画面１２１において更新の確認が行われた後の一覧画面１４１を示す図である。図１４（Ｂ）は、野球速報ページにおけるページデータの更新の様子を示す図である。
【０１２３】
図１４（Ａ）に示すように、一覧画面１４１では、サムネイル画像１２上に表示された文字１８と、サムネイル画像１３上に重畳されたメッセージ１９とが消去されている。
【０１２４】
サムネイル画像１３におけるメッセージ１９は、図１３の個別サービス画面１３１を表示させることで、最新閲覧ＨＴＭＬデータが更新後の個別ページデータに書き換わるため、更新があったことを示すメッセージ１９は表示されなくなる。
【０１２５】
また、サムネイル画像１２における文字１８は、一覧画面１２１において、「見たことにする」ボタン１５が操作されることで、最新閲覧ＨＴＭＬデータが更新後の個別ページデータに書き換わり、更新があったことを示す文字１８は表示されなくなる。
【０１２６】
ここで、図１４（Ｂ）に示すように、野球速報ページにおいて、さらに６回表でＡチームが２得点した場合について、図１５、図１６を参照して説明する。
【０１２７】
図１５は、個別サービスの一覧画面の例を示す第四の図である。図１５に示す一覧画面１５１は、図１４（Ａ）に示す一覧画面１４１の状態から、図１４（Ｂ）に示す野球速報ページの更新が反映された状態を示している。
【０１２８】
一覧画面１５１では、サムネイル画像１２上に、一覧画面１４１の状態から更新されたデータを示す文字１８Ａが重畳されている。
【０１２９】
一覧画面１５１では、お気に入り設定データベース２３０の野球速報ページと対応する最新閲覧ＨＴＭＬデータは、図１４のサムネイル画像１２と対応する個別ページデータである。したがって、一覧画面１５１では、現在の野球速報ページの個別ページデータと、図１４のサムネイル画像１２と対応する個別ページデータとが比較される。
【０１３０】
この両者における変更箇所は、新たに得点された「２」である。よって、文字１８Ａは、「２」となる。
【０１３１】
図１６は、個別サービスの一覧画面の例を示す第五の図である。図１６に示す一覧画面１６１は、図１５に示す一覧画面１５１の状態から、６回裏にＢチームが１点を入れた場合の更新が反映された状態を示している。
【０１３２】
一覧画面１６１では、サムネイル画像１２上に、一覧画面１５１の状態から更新されたデータを示す文字１８Ｂが重畳されている。
【０１３３】
以上のように、本実施形態によれば、複数の個別サービスの情報が表示された一覧画面の中で、変更があったウェブページの変更箇所を視認させることができる。
【０１３４】
開示の技術では、以下に記載する付記のような形態が考えられる。
（付記１）
コンピュータによる表示方法であって、該コンピュータが、
指定された１以上のウェブページをそれぞれサムネイルで表示する画面において、各サムネイルにつき、所定の時点で記憶していた各ウェブページの情報と比較した結果特定される、ウェブページ中の変更があった箇所を強調して表示させる、表示方法。
（付記２）
前記サムネイルに対応して表示される操作領域の操作に応じて、前記サムネイルと対応するウェブページのＨＴＭＬデータを取得し、
前記ウェブページを表示させずに、前記ＨＴＭＬデータを記憶部に記憶させる付記１記載の表示方法。
（付記３）
前記変更があった箇所を、
変更があったウェブページのサムネイルと重畳させて表示させる付記１又は２記載の表示方法。
（付記４）
前記ウェブページの情報は、前記ウェブページのＨＴＭＬデータのうちウェブページに表示される表示対象のデータであって、
各サムネイルにつき、
前記サムネイルで表示する画面の表示指示を受けた時点の前記表示対象のデータと、
前記所定の時点で記憶していた各ウェブページの表示対象のデータと、を比較する付記１乃至３の何れか一項に記載の表示方法。
（付記５）
前記表示対象のデータは、テキストデータであり、
前記変更があった箇所に含まれる文字数が、所定数未満であったとき、変更された文字を拡大して表示させる付記４記載の表示方法。
（付記６）
前記所定数は、前記サムネイルの表示領域の大きさと、前記変更された文字の拡大後の大きさと、に基づき決められる付記５記載の表示方法。
（付記７）
前記表示対象のデータは、画像のファイル名であり、
前記変更があった箇所の個数が、所定数未満であったとき、変更された前記ファイル名に対応する画像を表示させる付記４記載の表示方法。
（付記８）
指定された１以上のウェブページをそれぞれサムネイルで表示する画面において、各サムネイルにつき、所定の時点で記憶していた各ウェブページの情報と比較する比較部と、
比較した結果特定される、ウェブページ中の変更があった箇所を強調して表示させる表示部と、を有する表示装置。
（付記９）
指定された１以上のウェブページをそれぞれサムネイルで表示する画面において、各サムネイルにつき、所定の時点で記憶していた各ウェブページの情報と比較し、
前記比較の結果特定される、ウェブページ中の変更があった箇所を強調して表示させる、
処理をコンピュータに実行させる表示プログラム。
【０１３５】
開示の技術は、具体的に開示された実施例に限定されるものではなく、特許請求の範囲から逸脱することなく、種々の変形や変更が可能である。
【符号の説明】
【０１３６】
１００  表示システム
２００  端末装置
２１０  表示プログラム
２１２  データベース登録部
２１３  一覧画面表示部
２１５  データベース更新部
２１６  ＨＴＭＬデータ取得部
２１７  サムネイル画像生成部
２１８  差分判定部
２１９  一覧画面データ生成部
２２０  ブラウザ
２３０  お気に入り設定データベース
【図１】
2015219870.tif 000003
【図２】
2015219870.tif 000004
【図３】
2015219870.tif 000005
【図４】
2015219870.tif 000006
【図５】
2015219870.tif 000007
【図６】
2015219870.tif 000008
【図７】
2015219870.tif 000009
【図８】
2015219870.tif 000010
【図９】
2015219870.tif 000011
【図１０】
2015219870.tif 000012
【図１１】
2015219870.tif 000013
【図１２】
2015219870.tif 000014
【図１３】
2015219870.tif 000015
【図１４】
2015219870.tif 000016
【図１５】
2015219870.tif 000017
【図１６】
2015219870.tif 000018